(57)【要約】【課題】セキュリティを向上させたロックシステムを提供する。【解決手段】ロックシステムは、施錠若しくは解錠可能とするロック機構１０６を備えたパチンコ遊技機１０と、そのパチンコ遊技機１０を施錠若しくは解錠するための鍵体３００と、を備えている。鍵体３００は、操作者の指紋を指紋情報として収集する指紋情報収集手段を備えた。パチンコ遊技機１０は、複数の指紋情報からなる指紋認証元データが予め記憶されている指紋認証データベースと鍵体３００における指紋情報収集手段により収集された複数の指紋情報とが照合されるとともに、指紋認証データベースに記憶されている複数の指紋情報の照合順序と鍵体３００における指紋情報収集手段により収集された複数の指紋情報における照合順序とが照合された結果に基づいて、ロック機構１０６を、施錠状態から解錠状態又は解錠状態から施錠状態としてなす指紋情報認証手段と、を備えた。【選択図】      図６
2004156265.tif 000002
【特許請求の範囲】
【請求項１】
施錠若しくは解錠可能とするロック機構を備えたロック装置と、当該ロック装置を施錠若しくは解錠するための鍵体と、を備えたロックシステムであって、
前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、
前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合する指紋情報照合手段と、当該指紋情報照合手段による照合結果に基づいて、前記ロック機構を、施錠状態から解錠状態又は解錠状態から施錠状態としてなす指紋情報認証手段と、を備えたことを特徴とするロックシステム。
【請求項２】
施錠若しくは解錠可能とするロック機構を備えたロック装置と、当該ロック装置を施錠若しくは解錠するための鍵体と、を備えたロックシステムであって、
前記鍵体は、操作者の指紋を指紋情報として収集する指紋情報収集手段と、複数の指紋情報として予め記憶されている指紋認証元データと前記指紋情報収集手段により収集された複数の指紋情報とを照合する指紋情報照合手段と、当該指紋情報照合手段による照合結果を前記ロック装置に送信する照合結果送信手段と、を備えたものであり、
前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えたことを特徴とするロックシステム。
【請求項３】
施錠若しくは解錠可能とするロック機構を備えたロック装置と、当該ロック装置を施錠若しくは解錠するための鍵体と、を備えたロックシステムであって、
前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、
前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果に基づいて、前記ロック機構を、施錠状態から解錠状態又は解錠状態から施錠状態としてなす指紋情報認証手段と、を備えたことを特徴とするロックシステム。
【請求項４】
施錠若しくは解錠可能とするロック機構を備えたロック装置と、当該ロック装置を施錠若しくは解錠するための鍵体と、を備えたロックシステムであって、
前記鍵体は、操作者の指紋を指紋情報として収集する指紋情報収集手段と、複数の指紋情報として予め記憶されている指紋認証元データと前記指紋情報収集手段により収集された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果を前記ロック装置に送信する照合結果送信手段と、を備えたものであり、
前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えたことを特徴とするロックシステム。
【請求項５】
前記鍵体においては、前記指紋情報収集手段に含まれ、指紋情報を収集するための指紋情報収集部を有し、
前記指紋情報収集部における温度を検知する温度検知手段を備えたことを特徴とする請求項１から４いずれか記載のロックシステム。
【発明の詳細な説明】
【０００１】
【発明の属する技術分野】
本発明は、ロック機構を解錠、施錠するロックシステムに関するものである。
【０００２】
【従来の技術】
従来、ロックシステムにおいては、施錠若しくは解錠可能とするロック機構を備えたロック装置と、そのロック装置を施錠若しくは解錠するための鍵体と、を備えたものとして知られている。
【０００３】
このようなロックシステムの中にも、扉を開放するためのロック体が変位したことを検知する検知センサと、その検知に基づいてその旨を報知する報知手段と、ダイヤルから入力された暗証番号の照合を行い、その照合の結果に基づいて扉を開放する暗証番号照合手段と、を備えたように構成した公衆電話機が提案されている（例えば、特許文献１。）。
【０００４】
また、２つの扉を設けることにより、破壊されるおそれもなく、更には、扉を２度も開放させなければならない二重構造の自動取引装置の筐体構造が提案されている（例えば、特許文献２。）。
【０００５】
【特許文献１】
特開平７−５８８８４号公報
【特許文献２】
特開２００２−３２８１８号公報
【０００６】
【発明が解決しようとする課題】
しかしながら、このようなロックシステムにおいては、ロック機構に対して、不正な操作が行われたことに対する措置という観点からなされたものであり、ロック機構におけるセキュリティを向上させるようなものではなかった。
【０００７】
本発明は、上述した如き課題に鑑みてなされたものであり、セキュリティを向上させたロックシステムを提供することを目的とする。
【０００８】
【課題を解決するための手段】
以上のような目的を達成するために、本発明のロックシステムは、操作者の指紋を指紋情報として収集する指紋情報収集手段と、当該指紋情報収集手段により収集された複数の指紋情報と複数の指紋情報からなる指紋認証元データが予め記憶されている指紋認証データベースとを照合する指紋情報照合手段と、当該指紋情報照合手段による照合結果に基づいて、前記ロック機構を、施錠状態から解錠状態又は解錠状態から施錠状態としてなす指紋情報認証手段と、を備えたことを特徴とする。
【０００９】
より具体的には、本発明は、以下のようなものを提供する。
【００１０】
（１）  施錠若しくは解錠可能とするロック機構を備えたロック装置と、当該ロック装置を施錠若しくは解錠するための鍵体と、を備えたロックシステムであって、前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合する指紋情報照合手段と、当該指紋情報照合手段による照合結果に基づいて、前記ロック機構を、施錠状態から解錠状態又は解錠状態から施錠状態としてなす指紋情報認証手段と、を備えたことを特徴とするロックシステム。
【００１１】
（１）の発明によれば、「前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合する指紋情報照合手段と、当該指紋情報照合手段による照合結果に基づいて、前記ロック機構を、施錠状態から解錠状態又は解錠状態から施錠状態としてなす指紋情報認証手段と、を備えた」ので、固有の指紋情報が複数必要となり、指紋情報を偽造することにより誤認識させることは容易なことではなくなり、より一層セキュリティを向上させることが可能である。
【００１２】
尚、「指紋情報認証手段」は、「前記指紋情報照合手段による照合結果に基づいて、前記ロック機構を、施錠状態から解錠状態又は解錠状態から施錠状態としてなす」ものであればよく、操作者の鍵体の回転操作に基づくか否かは問わず、操作者の鍵体の回転操作に基づくことにより、「前記ロック機構を、施錠状態から解錠状態又は解錠状態から施錠状態としてなす」もののほうが、他装置からの送信信号に基づいて、「前記ロック機構を、施錠状態から解錠状態又は解錠状態から施錠状態としてなす」ことを防止することが可能であり、好適である。
【００１３】
更には、このような指紋情報に関する信号を送信する鍵体を採用したシステムにおいては、その送信条件を操作者の操作に基づいて行ってもよい。
【００１４】
更にまた、このような照合結果に関する信号を送信する鍵体を採用したシステムにおいては、照合結果を示すような送信信号であればよく、他装置からの送信信号とは異なる送信信号又は解読が容易でない送信信号であることが好ましい。
また、時間、日によって、その送信信号の送信方式を変更可能なものが最適である。
【００１５】
（２）  施錠若しくは解錠可能とするロック機構を備えたロック装置と、当該ロック装置を施錠若しくは解錠するための鍵体と、を備えたロックシステムであって、前記鍵体は、操作者の指紋を指紋情報として収集する指紋情報収集手段と、複数の指紋情報として予め記憶されている指紋認証元データと前記指紋情報収集手段により収集された複数の指紋情報とを照合する指紋情報照合手段と、当該指紋情報照合手段による照合結果を前記ロック装置に送信する照合結果送信手段と、を備えたものであり、前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えたことを特徴とするロックシステム。
【００１６】
（２）の発明によれば、「前記鍵体は、操作者の指紋を指紋情報として収集する指紋情報収集手段と、複数の指紋情報として予め記憶されている指紋認証元データと前記指紋情報収集手段により収集された複数の指紋情報とを照合する指紋情報照合手段と、当該指紋情報照合手段による照合結果を前記ロック装置に送信する照合結果送信手段と、を備えたものであり、前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えた」ので、固有の指紋情報が複数必要となり、指紋情報を偽造することにより誤認識させることは容易なことではなくなり、より一層セキュリティを向上させることが可能である。
【００１７】
尚、「指紋情報認証手段」は、「前記指紋情報照合手段による照合結果に基づいて、前記ロック機構を、施錠状態から解錠状態又は解錠状態から施錠状態としてなす」ものであればよく、操作者の鍵体の回転操作に基づくか否かは問わず、操作者の鍵体の回転操作に基づくことにより、「前記ロック機構を、施錠状態から解錠状態又は解錠状態から施錠状態としてなす」もののほうが、他装置からの送信信号に基づいて、「前記ロック機構を、施錠状態から解錠状態又は解錠状態から施錠状態としてなす」ことを防止することが可能であり、好適である。
【００１８】
更には、このような照合結果に関する信号を送信する鍵体を採用したシステムにおいては、照合結果が認証する旨のものである場合には、照合結果が送信され、照合結果が認証されない旨のものである場合には、照合結果が送信されないように構成してもよい。また、このような照合結果に関する信号を送信する鍵体を採用したシステムにおいては、その送信条件を操作者の操作に基づいて行ってもよい。
【００１９】
更にまた、このような照合結果に関する信号を送信する鍵体を採用したシステムにおいては、照合結果を示すような送信信号であればよく、他装置からの送信信号とは異なる送信信号又は解読が容易でない送信信号であることが好ましい。
また、時間、日によって、その送信信号の送信方式を変更可能なものが最適である。
【００２０】
（３）  施錠若しくは解錠可能とするロック機構を備えたロック装置と、当該ロック装置を施錠若しくは解錠するための鍵体と、を備えたロックシステムであって、前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果に基づいて、前記ロック機構を、施錠状態から解錠状態又は解錠状態から施錠状態としてなす指紋情報認証手段と、を備えたことを特徴とするロックシステム。
【００２１】
（３）の発明によれば、「前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果に基づいて、前記ロック機構を、施錠状態から解錠状態又は解錠状態から施錠状態としてなす指紋情報認証手段と、を備えた」ので、固有の指紋情報が複数必要となるだけではなく、その照合される順序自体も照合されることとなるため、指紋情報を偽造することにより誤認識させるだけではロック機構が施錠可能な状態若しくは解錠可能な状態となることはなく、より一層セキュリティを向上させることが可能である。
【００２２】
尚、「指紋情報認証手段」は、「前記指紋情報照合手段による照合結果に基づいて、前記ロック機構を、施錠状態から解錠状態又は解錠状態から施錠状態としてなす」ものであればよく、操作者の鍵体の回転操作に基づくか否かは問わず、操作者の鍵体の回転操作に基づくことにより、「前記ロック機構を、施錠状態から解錠状態又は解錠状態から施錠状態としてなす」もののほうが、他装置からの送信信号に基づいて、「前記ロック機構を、施錠状態から解錠状態又は解錠状態から施錠状態としてなす」ことを防止することが可能であり、好適である。
【００２３】
更には、このような指紋情報に関する信号を送信する鍵体を採用したシステムにおいては、その送信条件を操作者の操作に基づいて行ってもよい。
【００２４】
更にまた、このような照合結果に関する信号を送信する鍵体を採用したシステムにおいては、照合結果を示すような送信信号であればよく、他装置からの送信信号とは異なる送信信号又は解読が容易でない送信信号であることが好ましい。
また、時間、日によって、その送信信号の送信方式を変更可能なものが最適である。
【００２５】
（４）  施錠若しくは解錠可能とするロック機構を備えたロック装置と、当該ロック装置を施錠若しくは解錠するための鍵体と、を備えたロックシステムであって、前記鍵体は、操作者の指紋を指紋情報として収集する指紋情報収集手段と、複数の指紋情報として予め記憶されている指紋認証元データと前記指紋情報収集手段により収集された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果を前記ロック装置に送信する照合結果送信手段と、を備えたものであり、前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えたことを特徴とするロックシステム。
【００２６】
（４）の発明によれば、「前記鍵体は、操作者の指紋を指紋情報として収集する指紋情報収集手段と、複数の指紋情報として予め記憶されている指紋認証元データと前記指紋情報収集手段により収集された複数の指紋情報とを照合するとともに、前記指紋認証データベースに記憶されている複数の指紋情報の照合順序と前記指紋情報受信手段により受信された複数の指紋情報における照合順序とを照合する指紋情報照合手段と、当該指紋情報照合手段による照合結果を前記ロック装置に送信する照合結果送信手段と、を備えたものであり、前記ロック装置は、前記鍵体における前記指紋情報送信手段により送信された照合結果を受信する照合結果受信手段と、当該照合結果受信手段により受信された照合結果に基づいて、前記ロック機構を、施錠状態から解錠状態又は解錠状態から施錠状態としてなす指紋情報認証手段と、を備えた」ので、固有の指紋情報が複数必要となるだけではなく、その照合される順序自体も照合されることとなるため、指紋情報を偽造することにより認識させるだけではロック機構が施錠可能な状態若しくは解錠可能な状態となることはなく、より一層セキュリティを向上させることが可能である。
【００２７】
尚、「指紋情報認証手段」は、「前記指紋情報照合手段による照合結果に基づいて、前記ロック機構を、施錠状態から解錠状態又は解錠状態から施錠状態としてなす」ものであればよく、操作者の鍵体の回転操作に基づくか否かは問わず、操作者の鍵体の回転操作に基づくことにより、「前記ロック機構を、施錠状態から解錠状態又は解錠状態から施錠状態としてなす」もののほうが、他装置からの送信信号に基づいて、「前記ロック機構を、施錠状態から解錠状態又は解錠状態から施錠状態としてなす」ことを防止することが可能であり、好適である。
【００２８】
更には、このような照合結果に関する信号を送信する鍵体を採用したシステムにおいては、照合結果が認証する旨のものである場合には、照合結果が送信され、照合結果が認証されない旨のものである場合には、照合結果が送信されないように構成してもよい。また、このような照合結果に関する信号を送信する鍵体を採用したシステムにおいては、その送信条件を操作者の操作に基づいて行ってもよい。
【００２９】
更にまた、このような照合結果に関する信号を送信する鍵体を採用したシステムにおいては、照合結果を示すような送信信号であればよく、他装置からの送信信号とは異なる送信信号又は解読が容易でない送信信号であることが好ましい。
また、時間、日によって、その送信信号の送信方式を変更可能なものが最適である。
【００３０】
（５）  前記鍵体においては、前記指紋情報収集手段に含まれ、指紋情報を収集するための指紋情報収集部を有し、前記指紋情報収集部における温度を検知する温度検知手段を備えたことを特徴とする（１）から（４）いずれか記載のロックシステム。
【００３１】
（５）の発明によれば、「前記鍵体においては、前記指紋情報収集手段に含まれ、指紋情報を収集するための指紋情報収集部を有し、前記指紋情報収集部における温度を検知する温度検知手段を備えた」ので、固有の指紋情報が複数必要となるだけではなく、その照合される順序も照合されることとなるため、指紋情報を偽造することにより誤認識させるだけではロック機構が施錠可能な状態若しくは解錠可能な状態となることはなく、より一層セキュリティを向上させることが可能である。
【００３２】
また、温度検知機能を採用することにより、「なりすまし」の不正な操作を防止することができ、セキュリティを向上させることが可能である。例えば、人体ではないものに対して、指紋情報を形成することによる不正な操作をも防止する可能性が高く、より一層、セキュリティの高いロックシステムを提供することが可能である。
【００３３】
【発明の実施の形態】
以下に、本発明に好適な一実施形態について図面に基づいて説明する。
【００３４】
図１は本実施形態におけるロックシステムのロック装置として採用されたパチンコ遊技機を示す概略図である。
【００３５】
尚、本実施形態においては、ロック装置の一例としてパチンコ遊技機を示すが、本発明はこれに限らず、例えば、スロット遊技機、メダル遊技機等の遊技機であってもよく、その他、内部に機密性を有する部材を備えた装置に対して本システムを採用することが好ましい。
【００３６】
［パチンコ遊技機の構成］
パチンコ遊技機１０には、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０及び下皿２２と、下皿２２の右側に設けられた発射ハンドル２６と、前面から見て本体枠１２の四隅に設けられたスピーカ４６（４６ａ〜４６ｄ）と、が配置されている。
【００３７】
更には、遊技盤１４の前面には複数の障害釘（図示せず）が打ちこまれている。尚、釘を打ち込むような構成とせず、遊技盤１４を樹脂素材で成形し、この樹脂素材の遊技盤１４に金属製の棒状体を遊技盤１４の前方向に突出するように植設する構成としてもよい。
【００３８】
このようなパチンコ遊技機１０は、後述する如く、本体部１０２（図３参照）と、扉１０４（図３参照）とから構成されており、その扉１０４を本体部１０２に対して施錠又は解錠するために用いられる鍵穴３１が窓枠１６の外側右方に設けられている。
【００３９】
この鍵穴３１は、後述する如く、鍵体３００（図６参照）を挿入し、その鍵体３００により収集された指紋情報に基づいて、本体部１０２内部に設けられたロック機構１０６（図３参照）を変位させ、解錠若しくは施錠を行うこととなる。
【００４０】
尚、本実施形態においては、固定式の扉１０４を用いたが、本発明はこれに限らず、本体部に対して着脱自在な扉を備えたものであってもよい。
【００４１】
更にまた、発射ハンドル２６は本体枠１２に対して回動自在に設けられており、遊技者は発射ハンドル２６を操作することによりパチンコ遊技を進めることができるのである。発射ハンドル２６の裏側には、発射モータ２８が設けられている。
【００４２】
更にまた、発射ハンドル２６の周縁部には、タッチセンサ２９が設けられている。遊技者の手がタッチセンサ２９に触れたときには、タッチセンサ２９から触接検出信号が発せられ、この信号が発せられたことにより遊技者が発射ハンドル２６を握持したとされるのである。発射ハンドル２６が遊技者によって握持され、かつ、時計回り方向へ回動操作されたときには、その回動角度に応じて発射モータ２８に電力が供給され、上皿２０に貯留された遊技球が遊技盤１４に順次発射される。
【００４３】
発射された遊技球は、遊技盤１４上に設けられたガイドレール３０に案内されて遊技盤１４の上部に移動し、その後、上述した複数の障害釘との衝突によりその進行方向を変えながら遊技盤１４の下方に向かって落下する。
【００４４】
［パチンコ遊技機の拡大構成］
遊技盤１４を拡大した拡大正面図を図２に示す。尚、上述した図１に示した構成要素と対応する構成要素には同一の符号を付した。また、図２は、上述した障害釘について省略したものを示した。
【００４５】
遊技盤１４の前面の略中央には、後述する如き表示部である表示装置３２が設けられている。表示装置３２の上部の中央には、表示装置５２が設けられている。この表示装置５２は、例えば７セグメント表示器で構成されており、表示情報である普通図柄が、変動と停止とを繰り返すように可変表示される。
【００４６】
表示装置３２の左右の側部には、球通過検出器５５（５５ａ及び５５ｂ）が設けられている。この球通過検出器５５（５５ａ及び５５ｂ）は、その近傍を遊技球が通過したことを検出したときには、上述した表示装置５２において、普通図柄の変動表示が開始され、所定の時間経過した後、普通図柄の変動表示が停止する。この普通図柄は、数字や記号等からなる情報であり、例えば「０」から「９」までの数字や「☆」等の記号である。
【００４７】
この普通図柄が所定の図柄、例えば「７」となって停止して表示されたときには、後述する始動口４４の左右の両側に設けられている可動片５８（５８ａ及び５８ｂ）を駆動するためのソレノイド５７（図４参照）に電流を供給し、始動口４４に遊技球が入りやすくなるように可動片５８（５８ａ及び５８ｂ）を駆動し、始動口４４を開放状態となるようにする。尚、始動口４４を開放状態とした後、所定の時間が経過したときには、可動片を駆動し始動口４４を閉鎖状態として、遊技球が入りにくくなるようにするのである。
【００４８】
上述した表示装置５２の左右の両側には４つの保留ランプ３４（３４ａ〜３４ｄ）が設けられている。これらの保留ランプ３４は、遊技者の操作により遊技球が始動口４４に入球されたことにより、遊技球が始動口４４に入球したことがストックされた場合には、そのストックされている内部抽選データの数に基づいて点灯されることとなるのである。
【００４９】
また、遊技盤１４の下部には、遊技球の大入賞口３８が設けられている。この大入賞口３８の近傍には、シャッタ４０が開閉自在に設けられている。シャッタ４０は後述する大当たり状態になったときには開放状態となるようにソレノイド４８により駆動される。尚、シャッタ４０は、後述する如く、大当たり状態に移行した場合には、所定のタイミングで開閉を行う。また、この大入賞口３８は、その左右両側面に開口が設けられており、それらの開口の各々には、後述する球検知センサ４２（図４参照）が備えられている。
【００５０】
上述した表示装置５２の上部には一般入賞口５０が設けられており、表示装置３２の左右の両側には一般入賞口５４ａ及び５４ｂが設けられている。更に、表示装置３２の下部の左右の両側には一般入賞口５４ｃ及び５４ｄが設けられている。また、遊技盤１４の左右の端部には、特別入賞口５６ａ及び５６ｂが設けられ、大入賞口３８の左右の両側には、特別入賞口５６ｃ及び５６ｄが設けられている。
【００５１】
また、遊技球を入球させることにより、後述する可変表示ゲームが開始されて表示装置３２に表示される複数の図柄、例えば３つの識別情報である図柄を変動表示状態に移行する始動口４４が設けられている。
【００５２】
更に、シャッタ４０の下方には排出口５３が設けられており、上述した大入賞口３８、始動口４４、一般入賞口５４ａ〜５４ｄ及び特別入賞口５６ａ〜５６ｄに遊技球が入賞しなかった遊技球がこの排出口５３から排出される。
【００５３】
また、上述した大入賞口３８、始動口４４、一般入賞口５４ａ〜５４ｄ、特別入賞口５６ａ〜５６ｄ及び排出口５３には、それぞれ入球された遊技球を算出するべく、球検知センサ４２が設けられている。
【００５４】
上述した大入賞口３８、始動口４４、一般入賞口５４ａ〜５４ｄ及び特別入賞口５６ａ〜５６ｄに遊技球が入賞したときには、入賞口の種類に応じて遊技球が下皿２２に払い出されるようになされている。また、後述する如く、大入賞口３８に遊技球が入球した場合では、遊技状況に応じて払い出される遊技球の数が変化する。
【００５５】
更にまた、表示装置３２の左右の両側には、遊技球の経路を所定の方向に誘導するための転動誘導部材５９ａ及び５９ｂも設けられている。また、遊技盤１４の外側の上左側と上右側とには装飾ランプ３６（３６ａ及び３６ｂ）が設けられている。
【００５６】
尚、上述した表示装置３２において後述する演出画像を表示する部分は、液晶ディスプレイパネルからなるものであってもブラウン管からなるものであってもよい。また、上述した実施形態においては、表示装置３２は、遊技機であるパチンコ遊技機１０の遊技盤１４の前面の略中央に設けられている場合を示したが、遊技者が見得るような位置であれば遊技機の何処の位置に表示装置３２を設けることとしてもよい。
【００５７】
［遊技機  扉開放時］
図３は、扉を開放したパチンコ遊技機１０を示す概略図を示す。
【００５８】
パチンコ遊技機１０は、図３に示す如く、本体部１０２と扉１０４とで構成されている。本体部１０２には、後述する主制御回路６０（図４参照）等を内蔵させるための凹部１０８が設けられており、その凹部１０８を扉１０４が外側に露呈しないように覆うこととなる。また、扉１０４は、図３に示す如く、正面から見て左側で本体部１０２と軸着されており、その軸着された部分を中心として回動自在となっている。尚、本実施形態においては、扉１０４側に基板等を設置したが、本発明はこれに限らず、本体部１０２側に設けてもよい。
【００５９】
また、ロック機構１０６は、扉１０４に設けられた被ロック部１１２と、本体部１０２に設けられたロック片１１０と、を備えたものであり、このロック片１１０が、被ロック部１１２に係入することにより、扉１０４が凹部１０８を覆う状態で、即ち、扉１０４が閉じた状態で固定されることとなる。
【００６０】
尚、本実施形態におけるパチンコ遊技機１０では、本体部１０２にロック片１１０を、扉１０４に被ロック部１１２を、設け、ロック片１１０が被ロック部１１２に係入することにより扉１０４が閉じた状態で固定されたロック機構１０６であったが、本発明はこれに限らず、単に扉１０４が閉じた状態で固定されるものであればよく、例えば、本体部１０２に被ロック部１１２を設け、扉１０４にロック片１１０を設けてもよく、更には、ロック部と、ロック孔と、を備えたロック機構であってもよい。
【００６１】
また、本実施形態におけるパチンコ遊技機１０では、ロック片１１０が被ロック部１１２に係入することにより扉１０４が閉じた状態で固定されたが、本発明はこれに限らず、係止されるものであれば問題ない。
【００６２】
［遊技機の制御部の構成］
本発明の実施形態であるパチンコ遊技機の制御回路を示すブロック図を図４に示す。
【００６３】
上述した発射ハンドル２６は、主制御回路６０のインターフェイス回路群６２に接続され、インターフェイス回路群６２は、入出力バス６４に接続されている。発射ハンドル２６の回動角度を示す角度信号は、インターフェイス回路群６２により所定の信号に変換された後、入出力バス６４に供給される。入出力バス６４は、中央処理回路（以下、ＣＰＵと称する）６６にデータ信号又はアドレス信号が入出力されるようになされている。また、ＣＰＵ６６の内部には、後述するタイマ（図示せず）が備えられている。
【００６４】
また、発射ハンドル２６に備えられたタッチセンサ２９も、主制御回路６０のインターフェイス回路群６２に接続されている。タッチセンサ２９は、遊技者の手が触れたことを検出する触接検出信号をインターフェイス回路群６２に発した後、入出力バス６４に供給される。
【００６５】
また、上述したインターフェイス回路群６２には、入賞口の各々に対して設置された球検知センサ４２も接続されており、遊技球が上述した大入賞口３８、始動口４４、一般入賞口５４ａ〜５４ｄ、特別入賞口５６ａ〜５６ｄ及び排出口５３に入球したときには、球検知センサ４２は、検出信号をインターフェイス回路群６２に供給する。更に、インターフェイス回路群６２には、球通過検出器５５も接続されており、球通過検出器５５は遊技球がその近傍を通過したことを検出したときには、検出信号をインターフェイス回路群６２に供給する。
【００６６】
更にまた、上述したインターフェイス回路群６２には、鍵穴３１の背面に設けられた情報読取部１３２が接続されており、インターフェイス回路群６２は、この情報読取部１３２から発せられた指紋信号を受け取り、その指紋信号を所定の信号に変換し、入出力バス６４を介して、ＣＰＵ６６に指紋情報を供給することとなる。
【００６７】
尚、本実施形態においては、指紋情報を受け取る情報読取部１３２を備えた構成としたが、本発明によれば、照合結果を示す情報等、各種の情報を受け取る情報読取部を備えた構成としてもよい。また、情報読取部１３２は、情報を受け取るだけでなく、情報を供給することが可能なものであってもよい。
【００６８】
上述した入出力バス６４には、ＲＯＭ（リード・オンリー・メモリ）６８、ＥＰＲＯＭ６９及びＲＡＭ（ランダム・アクセス・メモリ）７０も接続されている。
【００６９】
ＲＯＭ６８は、パチンコ遊技機の遊技全体の流れを制御する制御プログラムを記録する。また、ＲＯＭ６８は、制御プログラムを実行するための初期データや、装飾ランプ３６の点滅動作パターンを制御するプログラムや、表示装置３２における表示制御をするプログラム等を記憶する。
【００７０】
その他にも特記すべきプログラムとしては、複数の指紋情報の照合を行うプログラムや、照合結果に基づいて認証を行い、ロック機構１０６を施錠及び解錠の制御を行うプログラム等がある。
【００７１】
また、本実施形態でのプログラムは、ＲＯＭ６８に記録されていたが、ハードディスク装置、ＣＤ−ＲＯＭ及びＤＶＤ等の記憶媒体に記録されていればよい。
また、これらのプログラムは、予め記録されているものでなくとも、電源投入後にＲＡＭ７０等に記録されるものでもよい。更にまた、プログラムの各々が別々の記憶媒体に記録されていてもよい。
【００７２】
また、ＥＰＲＯＭ６９は、フラッシュＲＯＭ、ＥＥＰＲＯＭ等、電気的に書き込み、消去可能なＲＯＭであり、通電状態でなくともそのデータを保存した状態に保持することができる。また、このＥＰＲＯＭ６９には、後述する如き指紋情報データベースが記憶されている。
【００７３】
また、ＲＡＭ７０は、上述したプログラムで使用するフラグや変数の値を記憶する。
【００７４】
更に、入出力バス６４には、インターフェイス回路群７２も接続されている。
インターフェイス回路群７２には、スピーカ４６、発射モータ２８、装飾ランプ３６、ソレノイド４８、５７及び１３０、表示装置３２に画像を表示させるための表示制御装置２００、が接続されており、インターフェイス回路群７２は、ＣＰＵ６６における演算処理の結果に応じて上述した装置の各々を制御すべく駆動信号や駆動電力、各種信号を供給する。
【００７５】
更にまた、入出力バス６４には、乱数を発生されるための乱数発生部６５が接続されている。乱数を発生させるための命令がＣＰＵ６６から乱数発生部６５へ発せられたときには、乱数発生部６５は所定の範囲の乱数を発生させ、その乱数の値を示す信号を入出力バス６４に発するのである。ＣＰＵ６６は、この発生された乱数により遊技の進行状況を決定する。
【００７６】
尚、本実施形態におけるパチンコ遊技機１０では、乱数を発生させる乱数発生部６５が備えられたものであったが、本発明はこれに限らず、乱数発生部６５を特別設けることなく、ＣＰＵ６６がその乱数を発生させるものであってもよく、更には、乱数発生部６５を備え、ＣＰＵ６６が、乱数発生部６５により発生された乱数に基づいて、内部抽選データを生成するものであってもよい。
【００７７】
更にまた、インターフェイス回路群７２には、表示制御装置２００も接続されており、表示制御装置２００は、主制御回路６０から発せられる画像表示命令に基づいて表示制御装置２００に接続されている表示装置３２を駆動するための駆動信号を発する。
【００７８】
更にまた、インターフェイス回路群７２には、ソレノイド１３０も接続されており、ＣＰＵ６６から供給される施錠及び／又は解錠信号を受け取り、可動することとなる。
【００７９】
このソレノイド１３０は、被ロック部１１２を可動させるためのものであり、その可動に応じて、扉１０４を本体部１０２に施錠及び解錠するようにされる、即ち、扉１０４を本体部１０２に対して施錠若しくは解錠可能とするものなのである。
【００８０】
また、本実施形態においては、施錠及び／又は解錠信号を受け取ることにより、扉１０４を本体部１０２に対して施錠若しくは解錠可能とする、即ち、一の信号により可動を繰り返すものを採用していたが、本発明はこれに限らず、施錠信号を受け取ることにより、扉１０４を本体部１０２に対して施錠可能とし、解錠信号を受け取ることにより、扉１０４を本体部１０２に対して解錠可能とする、即ち、複数の信号により可動を可能とするものを採用してもよい。
【００８１】
［パチンコ遊技機における記憶部の構成］
また、上述したパチンコ遊技機１０におけるＥＰＲＯＭ６９には、図５に示す如く、指紋情報データベースが記憶されている。
【００８２】
この指紋情報データベースは、図５に示す如く、このパチンコ遊技機１０のロック機構１０６を解錠及び／又は施錠することのできる者の情報が関連付けて記憶されており、これらの項目には、「ＩＤ」、「登録名称」、「指紋ＩＤ」、「照合順序」等、各種の情報が関連付けられている。
【００８３】
この「指紋ＩＤ」は、左右すべての指、つまり、「右親指」、「右人差し指」、「右中指」、「右薬指」、「右小指」、「左親指」、「左人差し指」、「左中指」、「左薬指」、「左小指」、合計１０本の指に対する指紋情報のＩＤが付されている。
【００８４】
また、この「指紋ＩＤ」は、ＥＰＲＯＭ６９に記憶されている「指紋情報ファイル群」と関連付けられており、その指紋情報ファイル群を検索し、その検索の結果に基づいて照合を行い、利用者を特定することが可能となるのである。
【００８５】
更には、「照合順序」は、照合する順序を示すものであり、どの指から照合するかという順序に基づいて、認証を行うか否かを判断することとなり、この指紋情報データベースには、最大１０個の照合順序データが記憶可能である。
【００８６】
例えば、「ＩＤ」が「０００１」である「登録名称１」の場合においては、「照合順序」が、１番から「指紋ＩＤ１Ａ１」、「指紋ＩＤ１Ａ４」、「指紋ＩＤ１Ａ２」、「−」、．．．．．．、という順となっている。このため、１番目に「指紋ＩＤ１Ａ１」を照合させ、２番目に「指紋ＩＤ１Ａ４」を照合させ、３番目に「指紋ＩＤ１Ａ２」を照合させた場合には、認証が行われることとなる。つまり、「登録名称１」の場合には、「右親指」、「右薬指」、「右人差し指」という順序で照合しないことには、照合が成立せず、認証、即ち、ロック機構を施錠、解錠できない。尚、４番目以降の「−」というデータは、実際には、何らかの空データが記憶されることとなる。このため、４番目以降に何らかの指を照合させてしまうことによっても照合が成立しない。
【００８７】
尚、「登録名称１」においては、異なる指を複数回登録したが、同じ指を複数回登録してもよく、例えば、「登録名称２」においては、同じ指を複数回登録している。
【００８８】
尚、本実施形態においては、最大１０個の照合順序を登録可能としたが、本発明はこれに限らず、複数個の照合順序を登録可能とするものであればよい。
【００８９】
［鍵体の構成］
このようなロック装置であるパチンコ遊技機１０に対して用いることができる鍵体について図６を用いて説明する。
【００９０】
鍵体３００には、図６に示す如く、その一端には、端子群３１２が形成されており、上述した鍵穴３１にこの鍵体３００を挿入した状態においては、図４に示す情報読取部１３２に当接し、ロック装置であるパチンコ遊技機１０との指紋情報の送信を行うこととなる。
【００９１】
また、鍵体３００における他端には、指紋情報を収集するための指紋情報収集面３１４が形成されている。この指紋情報収集面３１４には、その内部に、画像を取り込むための光学センサ（図示せず）群を含んだ指紋収集部３２７（図７参照）が備えられており、この指紋情報収集面３１４に指を触接させ、後述する切替スイッチ３１６を操作することにより、その指紋を指紋情報としての読取が開始、終了される。
【００９２】
尚、本発明においては、面形状の指紋情報収集面３１４に限らず、形状を問わないが、指紋を指紋情報として明瞭に読み取るため、面形状であることが好ましい。
【００９３】
また、この指紋情報収集面３１４には、温度センサ（図示せず）を含んだ温度検知部３２８（図７参照）が備えられており、その温度検知部３２８が備えられたことにより、所定の温度範囲内であると検知された場合には、即ち、人間の指の温度として検知された場合には、認証を行うこととなるのである。
【００９４】
更には、この指紋情報収集面３１４の裏面には、この鍵体３００の処理を報知する機能を有する報知部３２５（図７参照）が備えられており、照合が成立した旨の報知や、上述した所定の温度範囲内でない旨の報知を行うこととなる。この報知部３２５は、その内部に発光素子が備えられており、その発光態様により、その報知内容が決定される。
【００９５】
更には、指紋情報収集面３１４の近傍には、トグルスイッチである切替スイッチ３１６が備えられており、照合の開始、照合の終了を操作可能とする。
【００９６】
尚、本実施形態においては、切替スイッチ３１６としてトグルスイッチを用いたが、本発明はこれに限らず、他種類のスイッチであってもよい。更には、鍵体３００における指紋情報収集面３１４においては、接続ケーブル３１７が接続されており、その接続ケーブルによりコントロールカード３１８と接続されている。このコントロールカード３１８は、薄型のカード形状であり、各種のＣＰＵ、記憶媒体等、鍵体３００における制御手段を備え、その制御手段を用いて各種の処理を行うようにしている。尚、本実施形態においては、鍵体３００と、コントロールカード３１８と、を有線接続ケーブルにより接続したが、本発明はこれに限らず、無線接続としてもよく、更には、鍵体３００とコントロールカード３１８との機能を一体化した鍵体であってもよい。また、本実施形態においては、ロック装置であるパチンコ遊技機１０で照合を行う構成としたが、本発明はこれに限らず、ロック装置であるパチンコ遊技機１０において照合処理を行わず、鍵体側において照合処理を行ってもよく、この場合には、このコントロールカード３１８における制御手段により照合処理を行うこととなる。
【００９７】
［鍵体の電気的な構成］
上述した鍵体３００のブロック図を図７に示す。
【００９８】
図７に示すように、鍵体３００においては、データバスＢＵＳに鍵体ＣＰＵ３２２、鍵体メモリ３２３、情報を書き込み、読み出し可能に記憶する記憶部３２４、操作者に対して各種の報知を行う報知部３２５、信号の送受信を行う通信インターフェイス（以下、通信Ｉ／Ｆと称する。）３２６、指紋を示す画像、即ち指紋情報を読み取る指紋収集部３２７、温度を検知する温度検知部３２８、上述した切替スイッチ３１６の操作を検知するスイッチ検知部３２９が接続されている。
【００９９】
鍵体ＣＰＵ３２２は、この鍵体３００を制御するためのものであり、記憶部３２４に記憶されているプログラムに基づいて順次処理を実行する。
【０１００】
また、この鍵体メモリ３２３上述したプログラムで使用するフラグや変数の値を記憶する。
【０１０１】
更には、記憶部３２４には、上述した如く、鍵体３００を制御するためのプログラムや、読み取られた指紋情報が一時記憶される。
【０１０２】
更にまた、報知部３２５には、発光素子が含まれており、その発光態様により、その報知内容が決定される。
【０１０３】
更にまた、通信Ｉ／Ｆ３２６は、鍵体３００を鍵穴３１に挿入した状態においては、上述した情報読取部１３２に当接され、情報読取部１３２に対して指紋情報を送信することとなる。
【０１０４】
更にまた、指紋収集部３２７には、画像を取り込むための光学センサが含まれており、鍵体３００における指紋情報収集面３１４において、それらの光学センサにより指紋を指紋情報として読み取ることとなる。
【０１０５】
更にまた、温度検知部３２８は、指紋情報収集面３１４に温度センサを備えたものであり、指紋情報を読み取る際に、その表面温度を検知する。また、この温度検知部３２８は、所定の温度範囲内であるか否かを検知するものであり、所定の温度範囲内である場合には、即ち、人間の指の温度として検知された場合には、認証を行うこととなるのである。
【０１０６】
更にまた、報知部３２５は、指紋情報収集面３１４の裏面に設けられ、この鍵体３００の処理を報知する機能を有する。この報知部３２５は、照合が成立した旨の報知や、上述した所定の温度範囲内でない旨の報知を行うこととなる。この報知部３２５は、その内部に発光素子が備えられており、その発光態様により、その報知内容が決定される。
【０１０７】
［システムの動作説明］
上述したロックシステムにおけるシステム動作処理を図８、図９のフローチャートを用いて説明する。
【０１０８】
以下においては、ロック装置であるパチンコ遊技機１０のＣＰＵ６６、鍵体３００の鍵体ＣＰＵ３２２において用いられる変数は所定の値に初期化され、定常動作しているものとする。また、図８に示すサブルーチンは所定のタイミングで呼び出されるものとする。
【０１０９】
最初に、図８に示す如く、鍵体３００では、開始信号を受信したか否かを判断する（ステップＳ１０１）。この処理において、鍵体ＣＰＵ３２２は、切替スイッチ３１６の操作により、スイッチ検知部３２９から供給された開始信号を受信したか否かを判断することとなる。鍵体ＣＰＵ３２２は、その開始信号を受信したと判別した場合には、ステップＳ１０２に処理を移し、開始信号を受信したとは判別しなかった場合には、本サブルーチンを終了する。
【０１１０】
次いで、鍵体３００では、タイマ設定処理を実行する（ステップＳ１０２）。
この処理において、鍵体ＣＰＵ３２２は、鍵体ＣＰＵ３２２に内蔵されたタイマを所定値に設定し、カウントを開始する。このタイマは、複数の指紋情報を読み取る際に、所定のタイミングで読み取るためのものであり、操作者の操作が容易なように用いられている。この処理が終了した場合には、ステップＳ１０３に処理を移す。
【０１１１】
次いで、鍵体３００では、タイマが所定値であるか否かを判断する（ステップＳ１０３）。この処理において、鍵体ＣＰＵ３２２は、ステップＳ１０２の処理により開始されたカウントが所定値であるか否かを判断することとなる。鍵体ＣＰＵ３２２は、タイマが所定値であると判別した場合には、ステップＳ１０４に処理を移し、タイマが所定値であるとは判別しなかった場合には、再度本ステップを実行する。これにより、所定時間が経過した場合には、ステップＳ１０４に処理を移すこととなり、所定のタイミングで指紋情報の読取を行うこととなる。
【０１１２】
尚、本実施形態においては、ステップＳ１０２の処理により照合間隔を示す値を設定し、そのタイマをカウントダウンし、ステップＳ１０３の処理によりそのタイマの値が「００」となったか否かを判断する。そして、ステップＳ１０３の処理によりそのタイマの値が「００」となったと判別した場合には、ステップＳ１０４に処理を移すこととなるが、本発明においてはこれに限らず、所定のタイミングで指紋情報の読取を行うように構成すればよく、更には、操作者の操作に基づいて、照合を順次行うようにしてもよい。
【０１１３】
次いで、鍵体３００では、終了信号を受信したか否かを判断する（ステップＳ１０４）。この処理において、鍵体ＣＰＵ３２２は、切替スイッチ３１６の操作により、スイッチ検知部３２９から供給される終了信号を受信したか否かを判断することとなる。鍵体ＣＰＵ３２２は、終了信号を受信したか否か判断することとなる。鍵体ＣＰＵ３２２は、終了信号を受信したと判別した場合には、ステップＳ１１０に処理を移し、終了信号を受信したとは判別しなかった場合には、ステップＳ１０５に処理を移す。
【０１１４】
次いで、鍵体３００では、指紋情報収集処理を実行する（ステップＳ１０５）。この処理において、鍵体ＣＰＵ３２２は、指紋収集部３２７に読取命令を供給する。そして、指紋収集部３２７は、指紋情報収集面３１４における画像を読み取ることにより、指紋情報を収集し、鍵体ＣＰＵ３２２に供給することとなる。
鍵体ＣＰＵ３２２は、指紋収集部３２７から供給された指紋情報を受け取る。この処理が終了した場合には、ステップＳ１０６に処理を移す。
【０１１５】
次いで、鍵体３００では、指紋情報記録処理を実行する（ステップＳ１０６）。この処理において、鍵体ＣＰＵ３２２は、ステップＳ１０５の処理により指紋収集部３２７から受け取った指紋情報を記憶部３２４に累積的に記録する。この処理が終了した場合には、ステップＳ１０７に処理を移す。
【０１１６】
次いで、鍵体３００では、温度情報収集処理を実行する（ステップＳ１０７）。この処理において、鍵体ＣＰＵ３２２は、温度検知部３２８から供給される信号に基づいて、所定の温度範囲内であるか否かを参照することとなる。この処理が終了した場合には、ステップＳ１０８に処理を移す。
【０１１７】
次いで、鍵体３００では、温度情報記録処理を実行する（ステップＳ１０８）。この処理において、鍵体ＣＰＵ３２２は、ステップＳ１０７の処理により、所定の温度範囲内であると判別した場合には、温度情報として記憶部３２４に「００」と累積的に記録し、所定の温度範囲内ではないと判別した場合には、温度情報として記憶部３２４に「０１」と累積的に記録する。この処理が終了した場合には、ステップＳ１０９に処理を移す。
【０１１８】
次いで、鍵体３００では、収集完了報知処理を実行する（ステップＳ１０９）。この処理において、鍵体ＣＰＵ３２２は、指紋の収集が終了した収集完了報知命令を報知部３２５に供給し、報知部３２５は、指紋の収集が終了した旨の報知を行う。この処理が終了した場合には、ステップＳ１０２に処理を移す。
【０１１９】
次いで、図９に示す如く、鍵体３００では、温度情報参照処理を実行する（ステップＳ１１０）。この処理において、鍵体ＣＰＵ３２２は、ステップＳ１０８の処理により記憶部３２４に累積的に記録された温度情報を参照する。この処理が終了した場合には、ステップＳ１１１に処理を移す。
【０１２０】
次いで、鍵体３００では、温度条件が成立したか否かを判断する（ステップＳ１１１）。この処理において、鍵体ＣＰＵ３２２は、記憶部３２４に累積的に記憶された温度情報が全て「００」である、即ち温度条件が成立したか否かを判断することとなる。鍵体ＣＰＵ３２２は、温度条件が成立したと判別した場合には、ステップＳ１１２に処理を移し、温度条件が成立したとは判別しなかった場合には、ステップＳ１１３に処理を移す。
【０１２１】
次いで、鍵体３００では、エラー情報報知処理を実行する（ステップＳ１１３）。この処理において、鍵体ＣＰＵ３２２は、温度条件が成立しない報知を行うための温度エラー報知命令を報知部３２５に供給し、報知部３２５は、温度条件が成立しない旨の報知を行う。この処理が終了した場合には、本サブルーチンを終了する。
【０１２２】
次いで、鍵体３００では、指紋情報送信処理を実行する（ステップＳ１１２）。この処理において、鍵体ＣＰＵ３２２は、記憶部３２４に累積的に記憶されている複数の指紋情報を、通信Ｉ／Ｆ３２６を介して、パチンコ遊技機１０に供給する。尚、この複数の指紋情報はその照合順序に基づいて記憶部３２４に記録されたものである。この処理が終了した場合には、本サブルーチンを終了する。
【０１２３】
一方、パチンコ遊技機１０では、指紋情報受信処理を実行する（ステップＳ２１１）。この処理において、ＣＰＵ６６は、情報読取部１３２、インターフェイス回路群６２、入出力バス６４を介して、複数の指紋情報を受け取る。この処理が終了した場合には、ステップＳ２１２に処理を移す。
【０１２４】
次いで、パチンコ遊技機１０では、指紋情報データベースの参照処理を実行する（ステップＳ２１２）。この処理において、ＣＰＵ６６は、ＥＰＲＯＭ６９に記憶されている指紋情報データベースを参照する。ＣＰＵ６６は、ステップＳ２１１の処理により受け取った複数の指紋情報の中から最初に照合を行った指紋情報と、指紋情報データベースにおける照合順序の一番目の指紋ＩＤが付された指紋情報と、を照合するように参照することとなる。また、このような参照処理は、一番目の指紋情報だけでなく、他の指紋情報に対しても繰り返し参照することとなる。この処理が終了した場合には、ステップＳ２１３に処理を移す。
【０１２５】
次いで、パチンコ遊技機１０では、指紋情報照合処理を実行する（ステップＳ２１３）。この処理において、ＣＰＵ６６は、ステップＳ２１２の処理により参照した結果、ステップＳ２１１の処理により受け取った複数の指紋情報の中から最初に照合を行った指紋情報と、指紋情報データベースにおける照合順序の一番目の指紋ＩＤが付された指紋情報と、を比較照合する。また、このような参照処理は、一番目の指紋情報だけでなく、他の指紋情報に対しても繰り返し参照することとなるため、その複数の指紋情報全てに対して比較照合を行う。この処理が終了した場合には、ステップＳ２１４に処理を移す。
【０１２６】
次いで、パチンコ遊技機１０では、照合条件が成立したか否かを判断する（ステップＳ２１４）。この処理において、ＣＰＵ６６は、ステップＳ２１３の処理により比較照合した結果、複数の指紋情報に対して照合条件が成立したか否かを判断することとなる。もちろん、この照合の順序が異なる場合には、照合不成立となる。ＣＰＵ６６は、照合条件が成立したと判別した場合には、ステップＳ２１５に処理を移し、照合条件が成立したとは判別しなかった場合には、ステップＳ２１６に処理を移す。
【０１２７】
次いで、パチンコ遊技機１０では、施錠又は解錠処理を実行する（ステップＳ２１５）。この処理において、ＣＰＵ６６は、ステップＳ２１４の処理により照合成立したことを契機に、ロック機構１０６を変位させ、施錠状態から解錠状態に又は解錠状態から施錠状態に変更させる。
【０１２８】
尚、本実施形態においては、施錠及び解錠を行うように構成したが、本発明はこれに限らず、施錠又は解錠を行うように構成してもよい。例えば、解錠を行う場合においては、自動的に行うようにする、即ちオートロック機能を有するものに対して本システムを採用してもよい。
【０１２９】
また、本実施形態においては、施錠及び解錠を同一のデータベースに基づいて行うように構成したが、本発明はこれに限らず、施錠、解錠を異なるデータベースに基づいて行うように構成してもよい。この処理が終了した場合には、本サブルーチンを終了する。
【０１３０】
次いで、パチンコ遊技機１０では、エラー情報報知処理を実行する（ステップＳ２１６）。この処理において、ＣＰＵ６６は、照合不成立の報知を行うための照合不成立報知命令を表示制御装置２００に供給し、表示制御装置２００は、表示装置３２に対して、照合不成立の旨を報知させる画像を表示させる。
【０１３１】
尚、本実施形態においては、表示装置３２に照合不成立の旨を報知させる画像が表示されるように構成したが、本発明はこれに限らず、他の報知手段を用いて報知してもよく、例えば、他の視覚情報を用いても、スピーカ４６等聴覚情報を用いてもよい。この処理が終了した場合には、本サブルーチンを終了する。
【０１３２】
尚、本実施形態においては、ロック装置であるパチンコ遊技機１０において照合処理を実行したが、本発明はこれに限らず、照合処理を鍵体において実行するように構成してもよい。この場合には、鍵体における記憶部に図５に示す如き指紋情報データベースを記憶するように構成することとなる。
【０１３３】
上述したロックシステムにおけるシステム動作処理を図１０、図１１のフローチャートを用いて説明する。尚、本サブルーチンにおいても、図８及び図９に示すフローチャートと同じような機能を有する図４及び図７に示す装置、部材には、同じ符号を付することとする。
【０１３４】
以下においては、ロック装置であるパチンコ遊技機１０のＣＰＵ６６、鍵体３００の鍵体ＣＰＵ３２２において用いられる変数は所定の値に初期化され、定常動作しているものとする。また、上述した第一の実施形態において記載された処理とほぼ同じような処理を行うものには、同じステップ番号を付する。また、図１０に示すサブルーチンは所定のタイミングで呼び出されるものとする。
【０１３５】
最初に、図１０に示す如く、鍵体３００では、開始信号を受信したか否かを判断する（ステップＳ１０１）。この処理において、鍵体ＣＰＵ３２２は、切替スイッチ３１６の操作により、スイッチ検知部３２９から供給された開始信号を受信したか否かを判断することとなる。鍵体ＣＰＵ３２２は、その開始信号を受信したと判別した場合には、ステップＳ１０２に処理を移し、開始信号を受信したとは判別しなかった場合には、本サブルーチンを終了する。
【０１３６】
次いで、鍵体３００では、タイマ設定処理を実行する（ステップＳ１０２）。
この処理において、鍵体ＣＰＵ３２２は、鍵体ＣＰＵ３２２に内蔵されたタイマを所定値に設定し、カウントを開始する。このタイマは、複数の指紋情報を読み取る際に、所定のタイミングで読み取るためのものであり、操作者の操作が容易なように用いられている。この処理が終了した場合には、ステップＳ１０３に処理を移す。
【０１３７】
次いで、鍵体３００では、タイマが所定値であるか否かを判断する（ステップＳ１０３）。この処理において、鍵体ＣＰＵ３２２は、ステップＳ１０２の処理により開始されたカウントが所定値であるか否かを判断することとなる。鍵体ＣＰＵ３２２は、タイマが所定値であると判別した場合には、ステップＳ１０４に処理を移し、タイマが所定値であるとは判別しなかった場合には、再度本ステップを実行する。これにより、所定時間が経過した場合には、ステップＳ１０４に処理を移すこととなり、所定のタイミングで指紋情報の読取を行うこととなる。
【０１３８】
尚、本実施形態においては、ステップＳ１０２の処理により照合間隔を示す値を設定し、そのタイマをカウントダウンし、ステップＳ１０３の処理によりそのタイマの値が「００」となったか否かを判断する。そして、ステップＳ１０３の処理によりそのタイマの値が「００」となったと判別した場合には、ステップＳ１０４に処理を移すこととなるが、本発明においてはこれに限らず、所定のタイミングで指紋情報の読取を行うように構成すればよく、更には、操作者の操作に基づいて、照合を順次行うようにしてもよい。
【０１３９】
次いで、鍵体３００では、終了信号を受信したか否かを判断する（ステップＳ１０４）。この処理において、鍵体ＣＰＵ３２２は、切替スイッチ３１６の操作により、スイッチ検知部３２９から供給される終了信号を受信したか否かを判断することとなる。鍵体ＣＰＵ３２２は、終了信号を受信したか否か判断することとなる。鍵体ＣＰＵ３２２は、終了信号を受信したと判別した場合には、ステップＳ１２１に処理を移し、終了信号を受信したとは判別しなかった場合には、ステップＳ１０５に処理を移す。
【０１４０】
次いで、鍵体３００では、指紋情報収集処理を実行する（ステップＳ１０５）。この処理において、鍵体ＣＰＵ３２２は、指紋収集部３２７に読取命令を供給する。そして、指紋収集部３２７は、指紋情報収集面３１４における画像を読み取ることにより、指紋情報を収集し、鍵体ＣＰＵ３２２に供給することとなる。
鍵体ＣＰＵ３２２は、指紋収集部３２７から供給された指紋情報を受け取る。この処理が終了した場合には、ステップＳ１０６に処理を移す。
【０１４１】
次いで、鍵体３００では、指紋情報記録処理を実行する（ステップＳ１０６）。この処理において、鍵体ＣＰＵ３２２は、ステップＳ１０５の処理により指紋収集部３２７から受け取った指紋情報を記憶部３２４に累積的に記録する。この処理が終了した場合には、ステップＳ１０７に処理を移す。
【０１４２】
次いで、鍵体３００では、温度情報収集処理を実行する（ステップＳ１０７）。この処理において、鍵体ＣＰＵ３２２は、温度検知部３２８から供給される信号に基づいて、所定の温度範囲内であるか否かを参照することとなる。この処理が終了した場合には、ステップＳ１０８に処理を移す。
【０１４３】
次いで、鍵体３００では、温度情報記録処理を実行する（ステップＳ１０８）。この処理において、鍵体ＣＰＵ３２２は、ステップＳ１０７の処理により、所定の温度範囲内であると判別した場合には、温度情報として記憶部３２４に「００」と累積的に記録し、所定の温度範囲内ではないと判別した場合には、温度情報として記憶部３２４に「０１」と累積的に記録する。この処理が終了した場合には、ステップＳ１０９に処理を移す。
【０１４４】
次いで、鍵体３００では、収集完了報知処理を実行する（ステップＳ１０９）。この処理において、鍵体ＣＰＵ３２２は、指紋の収集が終了した収集完了報知命令を報知部３２５に供給し、報知部３２５は、指紋の収集が終了した旨の報知を行う。この処理が終了した場合には、ステップＳ１０２に処理を移す。
【０１４５】
次いで、図１１に示す如く、鍵体３００では、指紋情報データベースの参照処理を実行する（ステップＳ１２１）。この処理において、鍵体ＣＰＵ３２２は、記憶部３２４に記憶されている指紋情報データベースを参照する。鍵体ＣＰＵ３２２は、ステップＳ１０６の処理により記憶部３２４に記録された複数の指紋情報の中から最初に照合を行った指紋情報と、指紋情報データベースにおける照合順序の一番目の指紋ＩＤが付された指紋情報と、を照合するように参照することとなる。また、このような参照処理は、一番目の指紋情報だけでなく、他の指紋情報に対しても繰り返し参照することとなる。この処理が終了した場合には、ステップＳ１２２に処理を移す。
【０１４６】
次いで、鍵体３００では、指紋情報照合処理を実行する（ステップＳ１２２）。この処理において、鍵体ＣＰＵ３２２は、ステップＳ１２１の処理により参照した結果、ステップＳ１０６の処理により記憶部３２４に記録された複数の指紋情報の中から最初に照合を行った指紋情報と、指紋情報データベースにおける照合順序の一番目の指紋ＩＤが付された指紋情報と、を比較照合する。また、このような参照処理は、一番目の指紋情報だけでなく、他の指紋情報に対しても繰り返し参照することとなるため、その複数の指紋情報全てに対して比較照合を行う。この処理が終了した場合には、ステップＳ１１０に処理を移す。
【０１４７】
次いで、鍵体３００では、温度情報参照処理を実行する（ステップＳ１１０）。この処理において、鍵体ＣＰＵ３２２は、ステップＳ１０８の処理により記憶部３２４に累積的に記録された温度情報を参照する。この処理が終了した場合には、ステップＳ１１１に処理を移す。
【０１４８】
次いで、鍵体３００では、温度条件が成立したか否かを判断する（ステップＳ１１１）。この処理において、鍵体ＣＰＵ３２２は、記憶部３２４に累積的に記憶された温度情報が全て「００」である、即ち温度条件が成立したか否かを判断することとなる。鍵体ＣＰＵ３２２は、温度条件が成立したと判別した場合には、ステップＳ１２６に処理を移し、温度条件が成立したとは判別しなかった場合には、ステップＳ１２８に処理を移す。
【０１４９】
次いで、鍵体３００では、照合条件が成立したか否かを判断する（ステップＳ１２６）。この処理において、鍵体ＣＰＵ３２２は、ステップＳ１２２の処理により比較照合した結果、複数の指紋情報に対して照合条件が成立したか否かを判断することとなる。もちろん、この照合の順序が異なる場合には、照合不成立となる。鍵体ＣＰＵ３２２は、照合条件が成立したと判別した場合には、ステップＳ１２７に処理を移し、照合条件が成立したとは判別しなかった場合には、ステップＳ１２８に処理を移す。
【０１５０】
次いで、鍵体３００では、エラー情報報知処理を実行する（ステップＳ１２８）。この処理において、鍵体ＣＰＵ３２２は、温度条件が成立しない報知を行うための温度エラー報知命令を報知部３２５に供給し、報知部３２５は、温度条件が成立しない旨の報知を行う。また、鍵体ＣＰＵ３２２は、照合条件が成立しない報知を行うための照合エラー報知命令を報知部３２５に供給し、報知部３２５は、照合条件が成立しない旨の報知を行う。この処理が終了した場合には、本サブルーチンを終了する。
【０１５１】
次いで、鍵体３００では、照合成立情報送信処理を実行する（ステップＳ１２７）。この処理において、鍵体ＣＰＵ３２２は、記憶部３２４に記憶された照合成立情報を、通信Ｉ／Ｆ３２６を介して、パチンコ遊技機１０に供給する。
【０１５２】
尚、本実施形態において、単に照合成立情報をパチンコ遊技機１０に供給したが、本発明はこれに限らず、鍵体ＣＰＵ３２２に内蔵されている年月日情報に基づいて暗号化することにより照合成立情報を生成し、その照合成立情報をパチンコ遊技機１０に供給してもよい。これにより、不正な操作を防止することとなる。
【０１５３】
また、その暗号化を年月日情報に基づくことなく、他の情報、規則に基づいて暗号化されたものであってもよく、この場合においても、不正な操作を防止することとなるのである。この処理が終了した場合には、本サブルーチンを終了する。
【０１５４】
一方、パチンコ遊技機１０では、照合成立情報受信処理を実行する（ステップＳ２２１）。この処理において、ＣＰＵ６６は、情報読取部１３２、インターフェイス回路群６２、入出力バス６４を介して、照合成立情報を受け取り、ＥＰＲＯＭ６９に記録する。この処理が終了した場合には、ステップＳ２２２に処理を移す。
【０１５５】
次いで、パチンコ遊技機１０では、照合結果が照合成立であるか否かを判断する（ステップＳ２２２）。この処理において、ＣＰＵ６６は、ステップＳ２２２の処理のようにＥＰＲＯＭ６９に記憶されている照合成立情報に基づいて照合結果が照合成立であるか否かを判断する。ＣＰＵ６６は、照合成立情報に基づいて照合結果が照合成立であると判別した場合には、ステップＳ２１５に処理を移し、照合結果が照合成立であるとは判別しなかった場合には、本サブルーチンを終了する。
【０１５６】
次いで、パチンコ遊技機１０では、施錠又は解錠処理を実行する（ステップＳ２１５）。この処理において、ＣＰＵ６６は、ステップＳ２１４の処理により照合成立したことを契機に、ロック機構１０６を変位させ、施錠状態から解錠状態に又は解錠状態から施錠状態に変更させる。この処理が終了した場合には、本サブルーチンを終了する。
【０１５７】
尚、本実施形態においては、ロック装置の一例であるパチンコ遊技機１０と、鍵体３００と、によりロックシステムを構成したが、本発明はこれに限らず、ロック装置のみで複数の指紋情報を収集し、総合を行うものであってもよいが、ロック装置と鍵体とを備えることにより、その鍵穴３１内部に設けられた情報読取部１３２に対して当接し、電気的に接続されるような構成のほうが、不正な操作を防止する可能性は高まり好適である。
【０１５８】
また、本実施形態においては、ＥＰＲＯＭ６９又は記憶部３２４に、予め指紋情報を記憶されているように構成したが、本発明はこれに限らず、管理者により複数の指紋情報を登録可能としてもよく、この場合には、登録されたロック装置に対しては、同じような形状の鍵体を所持するだけで、複数のロック装置を解錠することが可能となり、鍵体を複数所持することなく、操作者に簡便であり、かつ、セキュリティの高いロックシステムを提供できるのである。
【０１５９】
更には、本実施形態においては、複数の指紋情報に対して、その指紋情報と、その照合順序と、に基づいて、ロック機構１０６を、自動的に、施錠状態から解錠状態又は解錠状態から施錠状態とするように構成したが、本発明はこれに限らず、操作者の操作により、施錠状態から解錠状態又は解錠状態から施錠状態とすることができるように構成してもよい。
【０１６０】
この場合には、ロック機構１０６における被ロック部１１２を固定するための固定手段と、当該固定手段を変位可能とする変動手段と、を備えてもよく、照合が成立したときには、その固定手段が変位可能となる。これにより、操作者の操作に基づいて施錠状態から解錠状態又は解錠状態から施錠状態とすることとなり、セキュリティが向上する。
【０１６１】
更にまた、本実施形態においては、指紋収集部３２７とともに、温度検知部３２８を備えるように構成したが、本発明はこれに限らず、温度検知部３２８を備えることなく指紋収集部３２７のみの構成としてもよく、更には、温度検知部３２８の代わりに圧力検知部（図示せず）を備えるように構成してもよい。この圧力検知部は、その圧力検知面（図示せず）の加えられた圧力が所定の範囲であるか否かを検知するものであり、操作者の適度な圧力を検知することにより、実際に操作者が操作しているか否かを判断することとなり、セキュリティが向上することとなるのである。もちろん、指紋収集部３２７とともに、温度検知部３２８及び圧力検知部を備えるように構成とすることにより、より一層セキュリティが向上することとなる。
【０１６２】
【発明の効果】
本発明によれば、「前記鍵体は、操作者の指紋を指紋情報として収集する指紋情報収集手段と、当該指紋情報収集手段により収集された複数の指紋情報を前記ロック装置に送信する指紋情報送信手段と、を備えたものであり、前記ロック装置は、前記鍵体における前記指紋情報送信手段により送信された複数の指紋情報を受信する指紋情報受信手段と、複数の指紋情報からなる指紋認証元データが予め記憶されている指紋認証データベースと前記指紋情報受信手段により受信された複数の指紋情報とを照合する指紋情報照合手段と、当該指紋情報照合手段による照合結果に基づいて、前記ロック機構を、施錠状態から解錠状態又は解錠状態から施錠状態としてなす指紋情報認証手段と、を備えた」ので、固有の指紋情報が複数必要となり、指紋情報を偽造することにより誤認識させることは容易なことではなくなり、より一層セキュリティを向上させることが可能である。
【図面の簡単な説明】
【図１】本発明の一実施形態におけるロック装置であるパチンコ遊技機の概略を示す図である。
【図２】本発明の一実施形態におけるロック装置であるパチンコ遊技機の遊技盤面の拡大正面図である。
【図３】本発明の一実施形態におけるロック装置であるパチンコ遊技機の概略を示す図である。
【図４】本発明の一実施形態におけるロック装置であるパチンコ遊技機の制御回路のブロック図である。
【図５】本発明の一実施形態におけるデータベースを示す説明図である。
【図６】本発明の一実施形態における鍵体の概略を示す図である。
【図７】本発明の一実施形態における鍵体の制御回路のブロック図である。
【図８】本発明の一実施形態におけるロックシステムのフローチャートを示す図である。
【図９】本発明の一実施形態におけるロックシステムのフローチャートを示す図である。
【図１０】本発明の一実施形態におけるロックシステムのフローチャートを示す図である。
【図１１】本発明の一実施形態におけるロックシステムのフローチャートを示す図である。
【符号の説明】
１０  パチンコ遊技機
１２  本体枠
１４  遊技盤
１６  窓枠
２０  上皿
２２  下皿
２６  発射ハンドル
２８  発射モータ
２９  タッチセンサ
３０  ガイドレール
３１  鍵穴
３２  表示装置
３４  保留ランプ
３６  装飾ランプ
３８  大入賞口
４０  シャッタ
４２  球検知センサ
４４  始動口
４６  スピーカ
４８  ソレノイド
５０  一般入賞口
５２  表示装置
５３  排出口
５４  一般入賞口
５５  球通過検出器
５６  特別入賞口
５７  ソレノイド
５８  可動片
５９  転動誘導部材
６０  主制御回路
６２  インターフェイス回路群
６４  入出力バス
６５  乱数発生部
６６  ＣＰＵ
６８  ＲＯＭ
６９  ＥＰＲＯＭ
７０  ＲＡＭ
７２  インターフェイス回路群
１０２  本体部
１０４  扉
１０６  ロック機構
１０８  凹部
１１０  ロック片
１１２  被ロック部
１３０  ソレノイド
１３２  情報読取部
２００  表示制御装置
３００  鍵体
３１２  端子群
３１４  指紋情報収集面
３１６  切替スイッチ
３２２  鍵体ＣＰＵ
３２３  鍵体メモリ
３２４  記憶部
３２５  報知部
３２６  通信Ｉ／Ｆ
３２７  指紋収集部
３２８  温度検知部
３２９  スイッチ検知部
【図１】
2004156265.tif 000003
【図２】
2004156265.tif 000004
【図３】
2004156265.tif 000005
【図４】
2004156265.tif 000006
【図５】
2004156265.tif 000007
【図６】
2004156265.tif 000008
【図７】
2004156265.tif 000009
【図８】
2004156265.tif 000010
【図９】
2004156265.tif 000011
【図１０】
2004156265.tif 000012
【図１１】
2004156265.tif 000013